【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
通話または通信を行うための自装置の電話番号を複数使用できる通信装置であって、
前記複数の電話番号の中で使用する電話番号を切り替える切替手段と、
前記切替手段によって使用する電話番号が切り替えられた場合に、切り替え前の電話番号に対応する通話又は通信の料金情報を、切り替え後の電話番号に対応する通話又は通信の料金情報に切り替える制御手段とを設けたことを特徴とする通信装置。
【請求項２】
請求項１に記載の通信装置であって、
前記切替手段は、電話番号に対応するモードを切り替えることによって前記使用する電話番号を切り替えることを特徴とする通信装置。
【請求項３】
請求項１又は２に記載の通信装置であって、
前記通話または通信の料金情報は、１通話分または１通信分の料金情報であることを特徴とする通信装置。
【請求項４】
請求項１又は２に記載の通信装置であって、
前記通話または通信の料金情報は、積算通話料金情報または積算通信料金情報であることを特徴とする通信装置。
【請求項５】
通話または通信を行うための自装置の電話番号を複数使用できる通信装置に、
前記複数の電話番号の中で使用する電話番号を切り替える切替手順と、
前記切替手順で使用する電話番号が切り替えられた場合に、切り替え前の電話番号に対応する通話又は通信の料金情報を、切り替え後の電話番号に対応する通話又は通信の料金情報に切り替える制御手順とを実行させることを特徴とする通信装置の制御方法。
【請求項６】
請求項５に記載の通信装置の制御方法であって、
前記切替手順は、電話番号に対応するモードを切り替えることによって前記使用する電話番号を切り替える手順であることを特徴とする通信装置の制御方法。
【請求項７】
請求項５又は６に記載の通信装置の制御方法であって、
前記通話または通信の料金情報は、１通話分または１通信分の料金情報であることを特徴とする通信装置の制御方法。
【請求項８】
請求項５又は６に記載の通信装置の制御方法であって、
前記通話または通信の料金情報は、積算通話料金情報または積算通信料金情報であることを特徴とする通信装置の制御方法。
【手続補正２】
【補正対象書類名】明細書
【補正対象項目名】発明の名称
【補正方法】変更
【補正の内容】
【発明の名称】通信装置及び通信装置の制御方法
【手続補正３】
【補正対象書類名】明細書
【補正対象項目名】０００１
【補正方法】変更
【補正の内容】
【０００１】
本発明は、通信装置及び通信装置の制御方法に関する。
【手続補正４】
【補正対象書類名】明細書
【補正対象項目名】０００２
【補正方法】変更
【補正の内容】
【０００２】
現在、携帯電話に代表される通信装置においては、ＧＰＳ機能、カメラ機能、ＩＣタグ機能、ＩＣタグリーダライタ機能、ＴＶ放送受信機能、着信音モード切替機能、複数の自端末識別情報機能等を備えることにより多機能化している。
【手続補正５】
【補正対象書類名】明細書
【補正対象項目名】０００３
【補正方法】変更
【補正の内容】
【０００３】
また、複数の自端末識別情報を備えている通信装置がある。例えば、特許文献１には、１台の電話機等の通信装置で自局の複数の電話番号等の認識番号を有することにより、課金する自局の認識番号を任意に選択できる通信装置が開示されている。
【手続補正６】
【補正対象書類名】明細書
【補正対象項目名】０００５
【補正方法】変更
【補正の内容】
【０００５】
しかしながら、多機能化している通信装置においては、それぞれの単独の機能としての使い勝手や、あるいはそれぞれの機能を組み合わせて使用する使い方には、それぞれの機能が比較的最近搭載された機能であるため、まだまだ新しい使い方、有用な使い方など、改善の余地がある。
【手続補正７】
【補正対象書類名】明細書
【補正対象項目名】０００６
【補正方法】変更
【補正の内容】
【０００６】
また、複数の自端末識別情報を備えている通信装置（特許文献１の通信装置）においては、その特徴を十分に生かしたアプリケーションは皆無に等しい。
【手続補正８】
【補正対象書類名】明細書
【補正対象項目名】０００７
【補正方法】変更
【補正の内容】
【０００７】
本発明は、通話または通信を行うための自装置の電話番号を複数使用できる通信装置の使い勝手を向上させることを目的とする。
【手続補正９】
【補正対象書類名】明細書
【補正対象項目名】０００８
【補正方法】変更
【補正の内容】
【０００８】
請求項１記載の発明の通信装置は、通話または通信を行うための自装置の電話番号を複数使用できる通信装置であって、前記複数の電話番号の中で使用する電話番号を切り替える切替手段と、前記切替手段によって使用する電話番号が切り替えられた場合に、切り替え前の電話番号に対応する通話又は通信の料金情報を、切り替え後の電話番号に対応する通話又は通信の料金情報に切り替える制御手段とを設けたものである。
【手続補正１０】
【補正対象書類名】明細書
【補正対象項目名】０００９
【補正方法】変更
【補正の内容】
【０００９】
請求項２記載の発明は、請求項１記載の通信装置において、前記切替手段が、電話番号に対応するモードを切り替えることによって前記使用する電話番号を切り替えるものである。
【手続補正１１】
【補正対象書類名】明細書
【補正対象項目名】００１０
【補正方法】変更
【補正の内容】
【００１０】
請求項３記載の発明は、請求項１または２記載の通信装置において、前記通話または通信の料金情報は、１通話分または１通信分の料金情報である。
【手続補正１２】
【補正対象書類名】明細書
【補正対象項目名】００１１
【補正方法】変更
【補正の内容】
【００１１】
請求項４記載の発明は、請求項１または２記載の通信装置において、前記通話または通信の料金情報は、積算通話料金情報または積算通信料金情報である。
【手続補正１３】
【補正対象書類名】明細書
【補正対象項目名】００１２
【補正方法】変更
【補正の内容】
【００１２】
請求項５記載の発明の通信装置の制御方法は、通話または通信を行うための自装置の電話番号を複数使用できる通信装置に、前記複数の電話番号の中で使用する電話番号を切り替える切替手順と、前記切替手順で使用する電話番号が切り替えられた場合に、切り替え前の電話番号に対応する通話又は通信の料金情報を、切り替え後の電話番号に対応する通話又は通信の料金情報に切り替える制御手順とを実行させるものである。
【手続補正１４】
【補正対象書類名】明細書
【補正対象項目名】００１３
【補正方法】変更
【補正の内容】
【００１３】
請求項６記載の発明は、請求項５記載の通信装置の制御方法において、前記切替手順が、電話番号に対応するモードを切り替えることによって前記使用する電話番号を切り替える手順である。
【手続補正１５】
【補正対象書類名】明細書
【補正対象項目名】００１４
【補正方法】変更
【補正の内容】
【００１４】
請求項７記載の発明は、請求項５または６記載の通信装置の制御方法において、前記通話または通信の料金情報は、１通話分または１通信分の料金情報である。
【手続補正１６】
【補正対象書類名】明細書
【補正対象項目名】００１５
【補正方法】変更
【補正の内容】
【００１５】
請求項８記載の発明は、請求項５または６記載の通信装置の制御方法において、前記通話または通信の料金情報は、積算通話料金情報または積算通信料金情報である。
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】変更
【補正の内容】
【００２０】
本発明によれば、通話または通信を行うための自装置の電話番号を複数使用できる通信装置の使い勝手を向上させることができる。
【手続補正２２】
【補正対象書類名】明細書
【補正対象項目名】００２１
【補正方法】削除
【補正の内容】
【手続補正２３】
【補正対象書類名】図面
【補正対象項目名】図３６
【補正方法】変更
【補正の内容】
【図３６】
2007300648.tif 000001